(57)【要約】【課題】  初期虫歯を感度良く正確に検出し、しかもその進行度合をも検出できる虫歯検出装置及び虫歯検出方法を提供する。【解決手段】  本発明の虫歯検出システム１は、紫外線光源２と、紫外線光源２から発生した紫外光を口腔内で照射する光照射部３と、紫外線光源２から照射された紫外線により歯からの蛍光を受光する蛍光受光装置４と、蛍光受光装置４から送信されたデータを解析する蛍光データ解析部５と、蛍光データ解析部５により解析された解析データを表示する表示装置６とを備えている。光照射部３には、紫外線光源２から発生した紫外光に含まれる４００ｎｍ以上の波長の光を遮断する遮断手段が設けられている。【選択図】    図１
2005087509.tif 000002
【特許請求の範囲】
【請求項１】
紫外線光源と、該紫外線光源から発生した紫外光を口腔内で照射する光照射部と、該光照射部から照射された紫外線により歯からの蛍光を受光する蛍光受光部と、該蛍光受光部からの蛍光データを解析する蛍光データ解析部と、該蛍光データ解析部からのデータを表示するデータ表示部とを備えた虫歯検出装置であって、前記光照射部には、前記紫外線光源から発生した紫外光に含まれる４００ｎｍ以上の波長の光を遮断する遮断手段が設けられている虫歯検出装置。
【請求項２】
前記紫外線光源は、単一波長の紫外線を発生する光源である請求項１に記載の虫歯検出装置。
【請求項３】
前記蛍光受光部には、前記歯からの蛍光に含まれる４００ｎｍ未満の波長の光を遮断する遮断手段が設けられている請求項１又は２に記載の虫歯検出装置。
【請求項４】
前記蛍光受光部には、更に歯表面からの反射光を遮断する遮断手段が設けられている請求項１乃至３のいずれか１項に記載の虫歯検出装置。
【請求項５】
前記紫外線光源は、出力強度が調整可能に構成されている請求項１乃至４のいずれか１項に記載の虫歯検出装置。
【請求項６】
前記紫外線光源と前記光照射部とが口腔内で操作可能な大きさで一体に構成されている請求項１乃至５のいずれか１項に記載の虫歯検出装置。
【請求項７】
前記紫外線光源は、紫外線ＬＥＤである請求項６に記載の虫歯検出装置。
【請求項８】
実質的に可視光領域の波長の光を含まない紫外光を歯の測定部位に照射し、該測定部位からの４００ｎｍ以上の可視光領域の波長の蛍光によって虫歯を検出する方法であって、前記測定部位からの蛍光情報を取り込む第１ステップと、前記蛍光の強度に基づいて演算し、前記演算結果に応じて虫歯の有無及び／又は虫歯の進行度合を判断する第２ステップとを含む虫歯検出方法。
【請求項９】
前記第２ステップには、歯の健常部位からの蛍光の強度と、歯の被検部位からの蛍光の強度とを比較し、比較の結果に応じて虫歯の有無及び／又は虫歯の進行度合を判断することが含まれる請求項８に記載の虫歯検出方法。
【請求項１０】
前記第２ステップには、紫外光源の照射強度を変え、異なる照射強度による歯からの蛍光強度を比較し、前記比較の結果に応じて虫歯の有無及び／又は虫歯の進行度合を判断することが含まれる請求項８に記載の虫歯検出方法。
【発明の詳細な説明】
【技術分野】
【０００１】
本発明は、虫歯を検出する技術に関し、特に、歯からの蛍光情報に基づいて非破壊的に初期段階の虫歯を検出する技術に関する。
【背景技術】
【０００２】
光を用いて虫歯を検出する従来技術として、特許文献１に記載された装置がある。かかる装置は、赤色光（６００〜６７０ｎｍ）を励起光として歯に照射し、その歯からの蛍光をフォトダイオードにより受光した光の強度のみを測定するものである。また、前記装置は口腔内細菌由来の蛍光により虫歯を検出するものであるため、虫歯が進行し歯に穴が開いてしまい、その中に細菌が繁殖しているような場合には虫歯の検出が可能である。
【０００３】
しかしながら、初期虫歯の進行度合いは、必ずしも細菌の存在及びその量とは相関していない。特に初期虫歯の場合は、該当箇所に口腔用組成物内細菌が検出されないことがむしろ多いため、前記特許文献１に記載の装置でかかる初期虫歯を検出することは困難である。すなわち、このような蛍光情報によって解析した結果は、口腔内細菌の有無等によって左右されるため、初期虫歯の有無を正確に判断することが困難である。
【０００４】
前記特許文献１の問題を解決すべく、非特許文献１、２に記載されたＱＬＦ（quantitative light-induced fluorescence）方法及びこの方法を実現させた装置が開発されている。この装置は、３８０±７０ｎｍの紫外線で照射し、得られた５２０ｎｍ以上の蛍光の強さのみ検出するものであり、虫歯部位からの蛍光強度が歯の健常部位からの蛍光強度に比較して弱くなるという現象を利用して虫歯を検出するものである。この場合の虫歯検出は、細菌の存在に影響を受けないため、特許文献１に開示の装置と比較して虫歯の有無の検出をより正確にできるようになっている。しかし、後述の比較例１に示すとおり、実際の歯のミネラル減少率の変化と上記５２０ｎｍ以上蛍光強度の変化とは一致しないため、初期虫歯の進行度合を計測することは困難である。
【０００５】
さらに、虫歯を検出する装置として、３６０〜５８０ｎｍの紫外線を歯に照射し、歯からの６２０ｎｍ以上の蛍光を測定する装置がある（特許文献２）。しかし、特許文献２に記載の装置は、蛍光強度の弱い赤色蛍光のみを測定対象とするため、虫歯の有無を検出するのに蛍光強度が不十分で外光などの計測環境の影響を受けやすく検出感度が低くなるという問題がある。
【０００６】
他方、虫歯の進行度合いを正確に検出し定量できる技術として、非特許文献３に記載された技術がある。この技術は、抜去した虫歯をスライスし、その断面をマイクロＸ線写真
で撮影し、前記写真における情報に基づいて、健常歯と比較しつつ、ミネラル減少率を算出し、虫歯の進行状況を定量するものである。かかる方法は、確実に虫歯の進行状況を確認することが可能であるが、歯を抜去およびスライスしなければ、測定することができないという問題がある。
【０００７】
【特許文献１】特開平２００１−２９９６９９号公報
【特許文献２】欧州特許出願公開第０５５５６４５号明細書
【非特許文献１】Stookey,G.K.,et al. Dentalcaries diagnosis, Dent Clin North Am.,43;665-77,1999.
【非特許文献２】ShiX.Q,et al. Comparison of QLF and DIAGNOdent for quantification of smooth surface caries, Caries Res.,35(1):21-6,2001.
【非特許文献３】好川正ら，「エナメル質の脱灰におよぼす０．１Ｍ乳酸のｐＨならびに作用時間の影響」，口腔衛生学会雑誌，１９９０，第４０巻，ｐ．６７１〜６７７
【発明の開示】
【発明が解決しようとする課題】
【０００８】
本発明の目的は、初期虫歯を感度良くかつ正確に検出し、虫歯の進行度合をも検出できる虫歯検出装置及び虫歯検出方法を提供することにある。
【課題を解決するための手段】
【０００９】
本発明者等は、歯に単一波長の紫外線（水銀ランプのｉ線３６５ｎｍ）を照射した場合、健常歯については、４００〜５００ｎｍ付近（青色相当）に強い蛍光が生じることを知見した。
【００１０】
また、本発明者等は、紫外光の照射光強度を増加させた場合、蛍光受光部に偏光フィルタを設け、歯表面からの蛍光を除去することで、従来のＱＬＦで報告されている（非特許文献１）脱灰領域よりも深い領域まで脱灰の程度を計測できることが可能であることを知見した。
【００１１】
本発明は、上記知見に基づいてなされたものであり、紫外線光源と、該紫外線光源から発生した紫外線を口腔内で照射する光照射部と、該光照射部から照射された紫外線により歯からの蛍光を受光する蛍光受光部と、該蛍光受光部からの蛍光データを解析する蛍光データ解析部と、該蛍光データ解析部からの解析データを表示する解析データ表示部とを備えた虫歯検出装置であって、前記光照射部には、前記紫外線光源から発生した紫外光に含まれる４００ｎｍ以上の波長の光を遮断する遮断手段が設けられている虫歯検出装置である。
また、虫歯検出装置は、前記紫外線光源を単一波長の紫外線を発生する光源として備えていることが好ましい。
【００１２】
また、前記蛍光受光部には、前記歯からの蛍光に含まれる４００ｎｍ未満の波長の光を遮断する遮断手段が設けられていることが好ましい。前記４００ｎｍ未満の波長の光を遮断する遮断手段は、前記歯からの蛍光に含まれる４００ｎｍ未満の波長の光を除去するフィルタであってもよい。前記蛍光受光部には、更に歯表面からの反射光を遮断する表面反射光用の遮断手段が設けられていることが好ましい。前記表面反射光用の遮断手段は、歯表面からの反射光を除去する偏光フィルタであってもよい。
前記紫外線光源と前記光照射部とが口腔内で操作可能な大きさで一体に構成されていることが好ましい。
【００１３】
さらに、本発明は、実質的に可視光領域の波長の光を含まない紫外光を歯の測定部位に照射し、該測定部位からの４００ｎｍ以上の可視光領域の波長の蛍光によって虫歯を検出する方法であって、前記測定部位からの蛍光情報を取り込む第１ステップと、前記蛍光の強度に基づいて演算し、前記演算結果に応じて虫歯の有無及び／又は虫歯の進行度合を判断する第２ステップとを含む虫歯検出方法である。
【発明の効果】
【００１４】
本発明に係る虫歯検出装置を用いることにより、初期虫歯を感度よく検出することが出来るため、初期虫歯を削らずに非外科的な処置による治療がよりしやすくなる。さらに、本発明に係る虫歯検出装置によれば、虫歯の進行度合いも計測することができる。前記初期虫歯の治療経過の観察が可能になり、再石灰化等による回復の度合いの確認ができるため、患者に虫歯の進行状況や回復状況を具体的に示すことにより、虫歯予防処置の重要性や処置の効果に関する理解を得ることができ、口腔の健康の維持向上に貢献することが可能になる。
【００１５】
本発明に係る虫歯検出装置により、歯の表面を計測することによって、虫歯を精度良く検出できるのみならず、歯の健常部位と虫歯部位との対比測定（２カ所で計測）を行うことが可能である。
【００１６】
また、本発明に係る虫歯検出装置により、紫外線の照射光強度の変化に伴って変化する歯からの蛍光データの中から、虫歯と健常歯とで異なる変化を示す波長帯を選択し、その波長帯における複数の蛍光強度に基づいて解析することができ、それによって虫歯（特に初期虫歯）とその進行度合いを感度良く正確に検出することができる。
【００１７】
本発明に係る虫歯検出方法によれば、実質的に可視光領域の波長の光を含まない紫外光を歯の測定部位に照射し、該測定部位からの４００ｎｍ以上の可視光領域の波長の蛍光によって虫歯を検出する方法であって、前記測定部位からの蛍光情報を取り込み、前記蛍光の強度に基づいて演算し、前記演算結果を予め設定した基準値と比較し、その比較結果に応じて虫歯の有無及び／又は虫歯の進行度合を判断することができる。
【００１８】
また、前記基準値は、紫外線照射装置における照射光強度、照射面積等の条件や、蛍光受光装置における光路長、受光素子の感度等の条件によって異なり、虫歯検出システムにおけるキャリブレーションによって決定される。
本発明に係る虫歯検出方法において、虫歯検出システムによって得られた歯の健常部位からの蛍光の強度と、歯の被検部位からの蛍光の強度とを比較し、比較の結果に応じて虫歯の有無及び／又は虫歯の進行度合を判断することができる。また、歯の被検部位に対し、紫外光源の照射強度を変え複数回測定し、得られた異なる照射強度による歯からの蛍光強度を比較し、その比較の結果に応じて虫歯の有無及び／又は虫歯の進行度合を判断することができる。
【発明を実施するための最良の形態】
【００１９】
以下、本発明の虫歯検出装置及び虫歯検出方法の好ましい実施形態について図面を参照して説明する。
図１に示すように、本実施形態の虫歯検出システム（虫歯検出装置）１は、紫外線光源２と、紫外線光源２から発生した紫外光を口腔内で照射する光照射部３と、紫外線光源２から照射された紫外線により歯からの蛍光を受光する蛍光受光装置（蛍光受光部）４と、蛍光受光装置４から送信されたデータを解析する蛍光データ解析部５と、蛍光データ解析部５により解析された解析データを表示する表示装置（データ表示部）６とを備えている。
【００２０】
虫歯検出システム１は、このシステム全体を統括的に制御する主制御部７を有する。この主制御部７には、入出力制御部８を介して、紫外線光源２、光照射部３、及び蛍光受光装置４が接続されていると共に、記憶装置９、表示装置６、及び出力装置１０が接続されている。
【００２１】
紫外線光源２は、例えば水銀ランプのｉ線３６５ｎｍのように波長が３００〜４００ｎｍ程度の範囲において単一波長の紫外線を照射するもので、照射光強度が調整可能に構成されていればよい。このような紫外線光源２には、例えば、紫外線ＬＥＤ、水銀ランプ、メタルハライドランプ等がある。紫外線ＬＥＤは、紫外線の照射光強度が調整されるように構成されている。例えば、通電量に関して入出力制御部８で制御する、もしくは複数のＬＥＤの点灯個数を変えることにより、光の強度調整を行う。
【００２２】
水銀ランプ又はメタルハライドランプは、照射光が可視光カットフィルタを通過して紫外光になり、その紫外光の強度が調整できるようになっている。強度調整は例えば電流値の制御やＮＤフィルタを用いることにより行う。そして、このような紫外線光源２から紫外線を導光するものとしては、紫外線吸収率が低いものであれば特に限定はないが、例えば石英ガラスや高分子材料からなるコアを有する光ファイバを通して光照射部３より歯に直接照射されるようになっている。
光照射部３には、紫外線光源２から発生した紫外光に含まれる４００ｎｍ以上の波長の光を遮断する遮断手段（例えば、可視カットフィルタ１４）が設けられている。この遮断手段は、紫外光に含まれる４００ｎｍ以上の波長の光を除去するフィルタである。
【００２３】
また、奥歯等のような外部からの光源の照射では光が届きにくい箇所における初期虫歯の測定等をより正確にできるようにする観点から、紫外線光源２と光照射部３とが口腔内で操作可能な大きさで一体に構成されてもよい。例えば、光照射部３は、約φ１０ｍｍ程度のペン先状に形成されており、その内部中央に、紫外線光源２としての紫外線ＬＥＤが組み込まれている。
【００２４】
蛍光受光装置４には、前記歯からの蛍光に含まれる４００ｎｍ未満の波長の光を遮断する遮断手段（例えば、紫外線カットフィルタ１１）を設けることができる。すなわち、蛍光受光装置４は、紫外線の照射により歯からの蛍光が、前記蛍光に含まれる４００ｎｍ未満の波長の光を遮断する遮断手段を通過することにより紫外線領域の光が吸収され、可視光領域の光のみが、光ファイバを通して光デバイスに受光されるように構成されている。前記光デバイスは、可視光領域の蛍光から、色情報を含んだ情報を蛍光データとして取り込み、その情報を入出力制御部８に送信可能なものであればよい。入出力制御部８は、光デバイスからの情報をＡＤ変換するように構成されている。
【００２５】
上述の光デバイスには、例えば、分光輝度計、カラーＣＣＤ、ＣＭＯＳ、又は２色以上の色フィルタ付き光センサ等がある。具体的には、分光輝度計は、蛍光をプリズム等により色分解し、各色光（赤色光、緑色光、青色光等）を光センサ取り込むことにより、各色毎の情報を得るように構成されている。
【００２６】
また、カラーＣＣＤは、色フィルタ（原色ＲＧＢ，補色ＣＭＹＧ）を有する２次元配列された素子で受光し、それぞれの素子からの電気信号に基づいて色情報を得るように構成されている。さらに、２色以上の色フィルター（バンドパスフィルター）付き光センサは、蛍光の特定波長のみを、例えば、フォトマルやシリコンフォトダイオードのような受光素子からの電気信号に基づいて各波長帯毎の情報を得るように構成されている。
【００２７】
さらに、蛍光受光装置４には、上述した光デバイスとしての受光部を備え、例えば、紫外線カットフィルタ１１のように、歯からの蛍光に含まれる４００ｎｍ未満の波長の光を遮断する遮断手段を設けることが好ましい。歯からの蛍光に含まれる４００ｎｍ未満の波長の遮断手段は、波長除去できるフィルタであってもよい。蛍光受光装置４には、更に歯表面からの反射光を遮断する遮断手段（例えば、偏光フィルタ１５）を設けることが好ましい。
【００２８】
記憶装置は、データ解析部５により解析された解析データを保存できるものであればよく、例えば、ハードディスク、フレキシブルディスク、光ディスク等がある。
【００２９】
表示装置６は、上記解析データや解析データの選択（測定部位の数、光強度の変化）に必要な情報を表示できるものであればよく、例えば、ＣＲＴディスプレイ、液晶ディスプレイ等がある。出力装置１０は、上記解析データを出力できるものであればよく、例えば、プリンタ等がある。
【００３０】
主制御部７は、ＣＰＵ１２、内部メモリ１３、蛍光データ解析部５等を有する。ＣＰＵ１２は、ＯＳ（Operating System）等の制御プログラムや虫歯検出プログラムからの命令を解読して実行するように構成されている。内部メモリ１３は、入出力制御部８からの情報や、記憶装置９からの解析データを一時的に保存するものである。蛍光データ解析部５は、虫歯検出プログラムがＣＰＵ１２により実行されることにより、虫歯検出プログラムと、ＣＰＵ１２、メインメモリ等のハードウエア資源（コンピュータ）とが協働した手段として構成されている。
【実施例】
【００３１】
本発明者等は、現在のところ最も正確に虫歯の進行度合いを測定できる非特許文献３記載の方法と実施例１、２と比較例１、２との相関関係を求めることにより本発明に係る虫歯検出装置の検出精度を評価した。
【００３２】
１．虫歯の進行度合いと虫歯検出装置の測定結果との相関関係
＜方法＞
実験に用いた被験歯は、ヒト抜去歯を用いた。ヒト抜去歯を４分割し、エナメル表面を鏡面研磨した後、鏡面研磨したエナメル表面に３×３ｍｍのウィンドウをあけ、他の部分をマニキュアで被覆した。マニキュアで被覆したエナメルは５％ヒドロキシエチルセルロースを溶解させたｐＨ４．５の乳酸緩衝溶液ゲルに１〜１４日間浸漬し、マニキュアで被覆していないウィンドウ部分にのみ、虫歯の程度の違う初期虫歯を形成させた。
【００３３】
その後、マニキュアをアセトンでふき取り、虫歯の程度をかえたエナメル被験歯を調製した。マニキュアで被覆された部分は酸に接触していないため、健常エナメル部分、マニキュアで被覆していないウィンドウ部分は酸に接触した初期虫歯部分である。これらのエナメル被験歯を、実験に用いた。
【００３４】
調製したエナメル被験歯をまず本発明に係わる虫歯検出装置で計測した。その後、非特許文献３に記載の方法に基づき、前記の被験歯をスライスし、マイクロＸ線写真撮影用の試料を作成した。実施例において、本発明に係る虫歯検出装置での計測結果と非特許文献３で示した方法で得られた虫歯の深さおよびミネラル喪失量との相関係数を求めることにより本発明の虫歯検出装置の正確さを検証した。
【００３５】
虫歯の深さは、虫歯の進行度合を示すもので、上記非特許文献３に従い、マイクロＸ線写真を用いて、コンピュータ画像解析により得られた値である。
ミネラル喪失量もまた、虫歯の進行度合を示すもので、上記非特許文献３に従い、マイクロＸ線写真を用いて、コンピュータ画像解析により得られた値である。歯の表面から内部にかけて、マイクロＸ線写真を解析すると、図２に示すミネラル濃度プロファイルが得られた。
【００３６】
横軸は歯表面から内部にかけての深さ、縦軸はミネラル濃度を示す。ミネラル濃度はマイクロＸ線写真のバックグラウンドの黒く感光している部分をミネラル濃度０、エナメル質内部の、光が透過しておらず感光していない白い部分をミネラル濃度１００とし、マイクロＸ線写真の色の濃淡から算出している。ミネラル喪失量は図２のΔＺで示された部分の面積で表される値で、単位はｖｏｌ％・μｍで表される。ミネラル喪失量が大きいほど、虫歯が進行していることを示している。
【００３７】
２．虫歯検出システムによる虫歯の検出
（１）＜方法＞
（実施例１及び実施例２）
本実施例で用いた虫歯検出システム１及びこれを用いた虫歯検出方法について説明する。紫外線照射装置２として水銀ランプを用いた。この水銀ランプは、４００ｎｍ以下の波長の紫外線を透過する可視光カットフィルタの装着により、ｉ線を効率よく照射できるようにした。水銀ランプからの紫外線は、光ファイバにより直接歯に照射した。実施例１では、紫外線の光強度を１５ｍＷ／ｃｍ2にした。実施例２では光強度を５０ｍＷ／ｃｍ2にした。
【００３８】
蛍光受光装置４としてカラーＣＣＤを用いた。カラーＣＣＤは、４００ｎｍ以上の光を透過するＵＶカットフィルタの装着により、可視光領域全ての蛍光を撮像できるようにした。この画像をグレー画像に変換し、各測定部位毎に、虫歯部位の輝度（１６ｂｉｔ）と、健常部位の輝度（１６ｂｉｔ）とを求め、その比を相対輝度として算出した。相対輝度と虫歯の深さおよびミネラル喪失量とのそれぞれの相関係数を求めた。
【００３９】
（比較例１）
比較例１では、上記特許文献１で示した従来技術に従い、紫外線の光強度を１５ｍＷ／ｃｍ2にし、被験歯を計測した。カラーＣＣＤに、５２０ｎｍ以上の光を透過するカットフィルタを装着し、カラーＣＣＤが５２０〜８００ｎｍの単色光の画像を取り込めるようにした。この画像をグレー画像に変換し、各測定部位毎に、虫歯部位の輝度（１６ｂｉｔ）と、健常部位の輝度（１６ｂｉｔ）とを求め、その比を相対輝度として算出した。相対輝度と虫歯の深さおよびミネラル喪失量とのそれぞれの相関係数を求めた。
【００４０】
（比較例２）
比較例２では、上記特許文献２に記載の技術に従い、紫外線の光強度を１５ｍＷ／ｃｍ2にし、被験歯を計測した。カラーＣＣＤに、６２０ｎｍ以上の光を透過するカットフィルタを装着し、カラーＣＣＤが赤色蛍光のみの画像を取り込めるようにした。この画像をグレー画像に変換し、各測定部位毎に、虫歯部位の輝度（１６ｂｉｔ）と、健常部位の輝度（１６ｂｉｔ）とを求め、その比を相対輝度として算出した。相対輝度と虫歯の深さおよびミネラル喪失量とのそれぞれの相関係数を求めた。
【００４１】
（２）結果
（虫歯の深さと虫歯検出システムによる検出データとの相関）
虫歯の深さと、健常部位の輝度に対する虫歯部位の輝度である相対輝度の計測結果を表１に示す。実施例１および２は相対輝度が低いほど虫歯の深さが深くなり、その相関は比較例１および２と比較して高かった。実施例１では紫外光の照射強度が１５ｍＷ／ｃｍ2であり、相対輝度と１００μｍまでの虫歯の深さとの間で相関係数の絶対値が０．９６以上の高い相関があったが、実施例２において紫外光の照射強度を５０ｍＷ／ｃｍ2まで強くすると、相対輝度と、さらに深い１５０μｍまでの虫歯の深さとの間で相関係数の絶対値が０．９６以上の高い相関が認められた。光の強度をより強くすることにより、虫歯の深さがより深い領域まで、虫歯の深さを定量することができた。以上より、本計測装置により、虫歯の深さを定量できることが実証された。
【００４２】
【表１】
2005087509.tif 000003
【００４３】
（虫歯部位のミネラル喪失量と虫歯検出システムによる検出データとの相関）
虫歯部位のミネラル喪失量と、健常部位の輝度に対する虫歯部位の輝度である相対輝度の計測結果を表２に示す。ミネラル喪失量が大きいほど虫歯が進行していることを示している。実施例１および２は相対輝度が低いほどミネラル喪失量が大きくなり、その相関は比較例１および２と比較して高かった。実施例１では紫外光の照射強度が１５ｍＷ／ｃｍ2であり、相対輝度と７０００ｖｏｌ％・μｍまでのミネラル喪失量との間で相関係数の絶対値が０．９７以上の高い相関があったが、実施例２において紫外光の照射強度を５０ｍＷ／ｃｍ2まで強くすると、相対輝度と、さらに虫歯の進行の進んだ１２０００ｖｏｌ％・μｍまでのミネラル喪失量との間で相関係数の絶対値が０．９６以上の高い相関が認められた。光の強度をより強くすることにより、より進行した虫歯の進行度合いを定量することができた。以上より、本計測装置により、虫歯の程度を定量できることが実証された。
【００４４】
【表２】
2005087509.tif 000004
【産業上の利用可能性】
【００４５】
本発明によれば、初期虫歯を感度良く正確に検出し、しかもその進行度合をも検出できる虫歯検出装置及び虫歯検出方法を得ることができる。この手法を用いることで、従来のように歯を割断しなくても、非破壊で虫歯の定量を行うことができ、歯科診療に応用すれば、非常に有効な診療手段となる。
【図面の簡単な説明】
【００４６】
【図１】本実施形態の虫歯検出システムの概略構成を示す図である。
【図２】マイクロＸ線写真より解析した、虫歯の程度を表す虫歯の深さとミネラル喪失量を示したミネラル濃度プロファイルである。
【符号の説明】
【００４７】
１      虫歯検出システム（虫歯検出装置）
２      紫外線光源
３      光照射部
４      蛍光受光装置（蛍光受光部）
５      蛍光データ解析部
６      表示装置（データ表示部）
１１      紫外線カットフィルタ
１３      内部メモリー
１４      可視カットフィルタ
１５      偏光フィルタ
【図１】
2005087509.tif 000005
【図２】
2005087509.tif 000006